(57)【要約】【課題】屈曲した壁面を有する建物に好適に用いられうる昇降式足場の提供。【解決手段】昇降式足場２は、マスト４と、デッキ６と、このデッキ６をマスト４に沿って昇降させる駆動部とを備えている。デッキ６は、複数の桁を備えている。この複数の桁は、連結されて一体にされている。この複数の桁に、非平行桁１８、２２が含まれている。この非平行桁１８、２２は、平行でない一対の側面を備えている。この一対の側面は、それぞれ隣り合う桁と連結される連結部を備えている。又は、複数の桁に、平面視において正方形形状の正方形桁が含まれる。この正方形桁は、第一側面と、第一側面に隣接する第二側面とを備えている。この第一側面は、連結雄部を備えている。この第二側面は、連結雌部を備えている。【選択図】図１
2010138652.tif 000002
【特許請求の範囲】
【請求項１】
実質的に鉛直方向に延びるマストと、実質的に水平方向に延びており作業者が立ちうるデッキと、このデッキをマストに沿って昇降させるための駆動部とを備えており、
このデッキが複数の桁を備えており、
この複数の桁が連結されて一体にされており、
この複数の桁に非平行桁が含まれており、
この非平行桁が平面視において直線状に延びてその延長線が交差する二辺を備えており、
この非平行桁が二辺のそれぞれ一辺に沿った一対の側面を備えており、
この一対の側面がそれぞれ隣り合う桁と連結される連結部を備えている昇降式足場。
【請求項２】
上記非平行桁が平面視において台形形状の台形桁である請求項１に記載の足場。
【請求項３】
上記一対の側面のうちの一方の側面の連結部が連結雄部であり、他方の側面の連結部が連結雌部である請求項１又は２に記載の足場。
【請求項４】
上記デッキが台形形状の桁に支持される床板を備えており、
この床板が平面視において扇形形状である請求項１から３のいずれかに記載の足場。
【請求項５】
実質的に鉛直方向に延びるマストと、実質的に水平方向に延びており作業者が立ちうるデッキと、このデッキをマストに沿って昇降させるための駆動部とを備えており、
このデッキが複数の桁を備えており、
この複数の桁が連結されて一体にされており、
この複数の桁に平面視において正方形形状の正方形桁が含まれており、
この正方形桁が第一側面と、第一側面に隣接する第二側面とを備えており、
この第一側面及び第二側面がそれぞれ隣合う桁と連結されうるように構成されており、
この第一側面が連結雄部を備えており、
この第二側面が連結雌部を備えている昇降式足場。
【請求項６】
上記正方形桁が第一側面に平行な第三側面を備えており、
この第三側面が連結雄部を備えている請求項５に記載の足場。
【請求項７】
上記正方形桁が第二側面に平行な第四側面を備えており、
この第四側面が連結雌部を備えている請求項５又は６に記載の足場。
【発明の詳細な説明】
【技術分野】
【０００１】
本発明は、建物のメンテナンス作業等に用いられる昇降式足場に関する。
【背景技術】
【０００２】
居住用マンション、商用ビル等の建物の外壁のメンテナンス作業に、仮設足場が用いられている。仮設足場は、多数の金属パイプが組み合わせて構成される。仮設足場は、地面から建物の最上部までを覆う。仮設足場の設置には、多大の労力を要する。仮設足場により日光が遮蔽されるので、建物の内部は暗い。仮設足場により、窓からの眺望が損なわれる。作業完了後、仮設足場は解体される。この解体作業にも、多大の労力を要する。
【０００３】
実開昭５７−１４４９７４号公報には、昇降式足場が開示されている。昇降式足場では、マストに沿ってデッキが昇降する。昇降式足場は、設置及び撤去が容易になされうる。昇降式足場では、日光の遮蔽、眺望の阻害はほとんど生じない。
【特許文献１】実開昭５７−１４４９７４号公報
【発明の開示】
【発明が解決しようとする課題】
【０００４】
この昇降用足場は、平坦な壁面に沿って一直線状に延びて構成されている。壁面が水平面上で屈曲させられた建物に昇降式足場が用いられると、この足場は壁面に沿って設けることができない。足場と壁面との間の距離が広い場所では、作業性が悪い。建物の壁面の屈曲形状に沿ったデッキが用いられるためには、個々の建物の壁面形状に合わせたデッキが準備される必要がある。個々に専用のデッキを準備することは、高コストである。
【０００５】
本発明の目的は、屈曲した壁面を有する建物に好適に用いられうる昇降式足場の提供にある。
【課題を解決するための手段】
【０００６】
本発明に係る昇降式足場は、実質的に鉛直方向に延びるマストと、実質的に水平方向に延びており作業者が立ちうるデッキと、このデッキをマストに沿って昇降させるための駆動部とを備えている。このデッキは、複数の桁を備えている。この複数の桁は、連結されて一体にされている。この複数の桁に、非平行桁が含まれている。この非平行桁は、平面視において直線状に延びてその延長線が交差する二辺を備えている。この非平行桁は、この二辺のそれぞれ一辺に沿った一対の側面を備えている。この一対の側面は、それぞれ隣り合う桁と連結される連結部を備えている。好ましくは、上記非平行桁は、平面視において台形形状の台形桁である。
【０００７】
好ましくは、上記一対の側面のうちの一方の側面の連結部は、連結雄部である。他方の側面の連結部は、連結雌部である。この台形形状の桁に支持される床板が平面視において扇形状である。好ましくは、上記デッキは、台形形状の桁に支持される床板を備えている。この床板は、平面視において扇形形状である。
【０００８】
本発明に係る他の昇降式足場は、実質的に鉛直方向に延びるマストと、実質的に水平方向に延びており作業者が立ちうるデッキと、このデッキをマストに沿って昇降させるための駆動部とを備えている。このデッキは、複数の桁を備えている。この複数の桁は、連結されて一体にされている。この複数の桁に、平面視において正方形形状の正方形桁が含まれている。この正方形桁は、第一側面と、第一側面に隣接する第二側面とを備えている。この第一側面及び第二側面は、それぞれ隣合う桁と連結されうるように構成されている。この第一側面は、連結雄部を備えている。この第二側面は、連結雌部を備えている。
【０００９】
好ましくは、上記正方形桁は、第一側面に平行な第三側面を備えている。この第三側面は、連結雄部を備えている。好ましくは、上記正方形桁は、第二側面に平行な第四側面を備えている。この第四側面は、連結雌部を備えている。
【発明の効果】
【００１０】
本発明に係る昇降式足場は、屈曲した壁面に沿って延びるデッキが形成されうる。この屈曲した形状のデッキが、昇降されうる。この足場では、屈曲した壁面に沿って広い作業領域が確保されうる。
【発明を実施するための最良の形態】
【００１１】
以下、適宜図面が参照されつつ、好ましい実施形態に基づいて本発明が詳細に説明される。
【００１２】
図１は、本発明の一実施形態に係る昇降式足場２の一部が建物Ｂ１の一部と共に示された正面図である。図２は、図１の足場２の平面図である。この足場２は、２本のマスト４、デッキ６及び８個のモーター８（駆動部）を備えている。図１に示される矢印Ｘは、左右方向右向きを表している。矢印Ｚは、鉛直方向上向きを表している。図２に示される矢印Ｙは、前後方向前向きを表している。図２に示されるように、建物Ｂ１の壁面Ｗ１は、水平方向に所定の曲率半径で屈曲して形成されている。この壁Ｗ１は、メンテナンス作業の対象である。
【００１３】
図１に示されるように、２本のマスト４は、互いに離間して設置されている。それぞれのマスト４は、脚１０により、地面Ｇに設置されている。マスト４は、建物Ｂ１の上下方向に沿って延びている。マスト４は、実質的に鉛直方向に延びている。デッキ６は、水平方向に延在している。デッキ６は、第一ユニット１２、第二ユニット１４及びマストカバー１６からなる。第一ユニット１２は、桁１８及び床板２０を備えている。第二ユニット１４は、桁２２及び床板２４を備えている。この床板２０及び床板２４は、水平方向において建物Ｂ１の壁面Ｗ１にほぼ沿っている。この床板２０及び床板２４は、所定の曲率半径で形成された扇形形状である。
【００１４】
図３は、第一ユニット１２の桁１８が示された平面図である。この桁１８は、連結雄部２６及び連結雌部２８を備えている。この桁１８は、複数の梁を溶接等で組み合わて構成されている。図３に示されるように、桁１８は、平面視において台形形状である。この台形形状は、上底に位置する梁１９Ａと、下底に位置する梁１９Ｂと、この上底と下底との間に位置する一対の梁１９Ｃ及び１９Ｄとから構成されている。この梁１９Ａと梁１９Ｂとは平行である。梁１９Ａは梁１９Ｂより短い。梁１９Ｃの長手方向延長線と梁１９Ｄの長手方向延長線とは、交わるように構成されている。
【００１５】
図４（ａ）は、図３の矢印IVａで示された矢視図である。図４（ｂ）は、図３の矢印IVｂで示された矢視図である。図４（ａ）は、梁１９Ｃ側の側面形状が示されている。この側面形状は、梁１９Ｃ、梁１９Ｅ及び梁１９Ｆから構成される。この側面形状は、三角形形状である。図４（ａ）に示されるように、水平方向に延びる梁１９Ｃの両端部に、連結雄部２６が設けられている。更に、梁１９Ｅと梁１９Ｆとの連結部に、連結雄部２６が設けられている。言い替えると、三角形形状の角に、連結雄部２６が設けられている。この３つの連結雄部２６が位置する側面は、水平面に対して垂直な面である。図４（ｂ）は、梁１９Ｄ側の側面形状が示されている。この側面形状は、梁１９Ｄ、梁１９Ｇ及び梁１９Ｈから構成される。この側面形状は、三角形形状である。図４（ｂ）に示されるように、水平方向に延びる梁１９Ｄの両端部に、連結雌部２８が設けられている。更に、梁１９Ｇと梁１９Ｈとの連結部に、連結雌部２８が設けられている。この三角形形状の角には、連結雌部２８が設けられている。この３つの連結雌部２８が位置する側面は、水平面に対して垂直な面である。３つの連結雄部２６が位置する側面と３つの連結雌部２８が位置する側面とは互いに交差する面である。この桁１８は、連結部を備えた、平行でない一対の側面を備えている。この桁１８は、非平行桁である。
【００１６】
図５は、第二ユニット１４の桁２２が示された平面図である。この桁２２は、連結雄部３０及び連結雌部３２を備えている。この桁２２は、平面視において台形形状である。この台形形状は、上底に位置する梁２３Ａと、下底に位置する梁２３Ｂと、この上底と下底との間の二辺に位置する梁２３Ｃ及び梁２３Ｄとから構成されている。この梁２３Ｃの長手方向延長線と梁２３Ｄの長手方向延長線とは、交わるように構成されている。この桁２２は、非平行桁である。図示されないが、この梁２３Ｃ側の側面形状は、桁１８と同様に三角形形状である。三角形形状の角に、連結雄部３０が設けられている。この３つの連結雄部３０が位置する側面は、水平面に対して垂直な面である。梁２３Ｄの側面形状は、桁１８と同様に三角形形状である。この三角形形状の角に、連結雌部３２が設けられている。この３つの連結雌部３２が位置する側面は、水平面に垂直な面である。
【００１７】
図６は、図１の足場の一部が建物Ｂ１の一部と共に示された拡大平面図である。図６には、マスト４、マストカバー１６及び駆動部３４が示されている。マスト４は、センターポール３６、２本のサイドポール３８、梁４０、アーム４２及びラック４４を備えている。センターポール３６は、金属パイプからなる。このセンターポール３６は、鉛直方向に延在している（図１参照）。それぞれのサイドポール３８は、金属パイプからなる。このサイドポール３８は、鉛直方向に延在している。梁４０の端は、溶接等の手段により、ポールに固定されている。この梁４０により、センターポール３６と２本のサイドポール３８とが一体化されている。アーム４２の一端は、溶接等の手段により、梁４０に固定されている。アーム４２の他端にはアンカーボルト４６が通されており、このアンカーボルト４６は壁Ｗ１に打ち込まれている。このアンカーボルト４６により、マスト４が壁Ｗ１に固定されている。ラック４４は、梁４０に固定されている。このラック４４は、垂直方向に延在している。
【００１８】
マストカバー１６は、桁４８、３つの連結雄部５０、３つの連結雌部５２、床板５４、４個のガイドローラ５６及びフリーローラ５８を備えている。桁４８の左の側面に連結雄部５０が設けられている。連結雄部５０は、第一ユニット１８と同様に、三角形形状の角に設けられている。３つの連結雄部５０が位置する側面は、水平面に対して垂直である。桁４８の右の側面に連結雌部５２が設けられている。連結雌部５２は、第一ユニット１８と同様に、三角形形状の角に設けられている。３つの連結雌部５２が位置する側面は、水平面に対して垂直である。この実施形態では、床板５４としてパンチングメタルが用いられている。床板５４には、多数の開口６０が形成されている。ガイドローラ５６は、桁４８に固定されている。一対のガイドローラ５６が、サイドポール３８を挟持している。この挟持により、マストカバー１６の前後方向への移動が阻止されている。
【００１９】
駆動部３４は、モーター８及びピニオン６２からなる。モーター８は、マストカバー１６に固定されている。ピニオン６２は、モーター８と同軸状に位置しており、モーター８と固定されている。モーター８の駆動により、ピニオン６２が回転する。ピニオン６２は、ラック４４と噛合している。ピニオン６２とフリーローラ５８とにより、ラック４４が挟持されている。この挟持により、マストカバー１６の左右方向への移動が阻止されている。
【００２０】
モーター８は、他のモーター８と同期して正転及び逆転する。図示されない操作盤からの信号によりモーター８が正転すると、ラック−ピニオン機構により、マストカバー１６が上昇するように構成されている。操作盤からの信号によりモーター８が逆転すると、ラック−ピニオン機構により、マストカバー１６が下降するように構成されている。
【００２１】
図７は、図１の第二ユニット１４及びマストカバー１６の一部が示された平面図である。この平面図では、説明の便宜上、床板２４及び床板５４が省略されている。図８は、図７の矢印VIIIで示された拡大分解図である。この図８は、第二ユニット１４の連結雌部３２とマストカバー１６の連結雄部５０との連結部分の分解図である。連結雌部３２には、前後方向に貫通する孔６４が形成されている。連結雄部５０には、前後方向に貫通する孔６６が形成されている。この連結雄部５０が連結雌部３２の凹部３３に挿入されている。この連結雄部５０が凹部３３に挿入された状態で、ピン６８が孔６４と孔６６とに通されている。孔６４と孔６６とに通されたピン６８の先端には、座金７２が通されている。座金７２が通されている位置より、ピン６８の先端側に孔７４が形成されている。この孔７４に、抜け止めピン７０が通される。このようにして、連結雌部３２と連結雄部５０とが連結されている。
【００２２】
図７では、マストカバー１６の連結雄部５０と左側に位置する第二ユニット１４の連結雌部３２とが連結されている。連結雄部５０と連結雌部３２とは、３箇所で連結されている。これにより、マストカバー１６とその左側に位置する第二ユニット１４とが連結されている。マストカバー１６の連結雌部５２とその右側に位置する第二ユニット１４の連結雄部３０とが連結されている。連結雌部５２と連結雄部３０とは、３箇所で連結されている。これにより、マストカバー１６とその右側に位置する第二ユニット１４とが連結されている。
【００２３】
図９は、図１の第一ユニット１２、第二ユニット１４及びマストカバー１６の一部が示された平面図である。この平面図では、説明の便宜上、床板２０、床板２４及び床板５４が省略されている。第一ユニット１２は、第二ユニット１４と連結されている。マストカバー１６と第二ユニット１４との連結構造と同様にして、第一ユニット１２の連結雄部２６とその左側に位置する第二ユニット１４の連結雌部３２とが連結されている。第一ユニット１２の連結雌部２８とその右側に位置する第二ユニット１４の連結雄部３０とが連結されている。図９に示されるように、第一ユニット１２の桁１８と、第二ユニット１４の桁２２と、マストカバー１６の桁４８とが連結されている。
【００２４】
図１０は、図２の直線X−Xに沿った断面図である。この第一ユニット１２は、桁１８、枕木７６と板７８とからなる床板２０、幅木８０及び手すり８２を備えている。この第１ユニット１２は、第二ユニット１４とマストカバー１６とに連結されて、デッキ６を構成している。このデッキ６は、マストカバー１６の上下動により、マスト４に対して上下動するように構成されている。
【００２５】
図９に示されるように、桁１８、２２及び４８を組み合わせて一体化された桁の集合体は、後方に凸形状である。このデッキ６の桁の集合体は、建物Ｂ１の壁面Ｗ１の曲面形状にほぼ沿った形状である。この桁１８、２２及び４８の上に床板２０、２４及び５４が載せられる。図２に示されるように、床板２０及び２４は、平面視において扇形状である。この床板２０及び２４は、壁面Ｗ１に沿った形状とされている。
【００２６】
作業者Ｍは、このデッキ６の床板２０の上に立って作業を行う。作業者Ｍは、このデッキ６の床板２０、２４及び５４の上を歩いて移動する。作業者Ｍは、この壁面Ｗ１に沿って移動できる。この昇降用足場２は、屈曲した壁面Ｗ１に沿ってデッキ６を上下方向にスライドできる。この昇降用足場２は、作業性に優れている。この昇降用足場２は、安全性に優れている。
【００２７】
ここでは、桁１８の梁１９Ａが梁１９Ｂより短いが、梁１９Ａが梁１９Ｂより長くされた桁が用いられうる。即ち、この桁の形状は、平面視において上底（梁１９Ａ）が下底（梁１９Ｂ）より長い台形形状である。この桁を用いることで、図示されないが、前方に向かって凹状の壁面に沿ってデッキを延ばすこともできる。ここでは、桁１８及び桁２２は、平面視において台形形状とされたが、三角形形状とされてもよい。この三角形形状の二辺に沿った側面のうちの一方の側面に連結雄部が設けられる。他方の側面に連結雌部が設けられる。これらの側面は、水平面に対して垂直な面である。
【００２８】
図１１は本発明の他の実施形態に係る昇降式足場８４が示された平面図である。ここでは、図１の昇降式足場２と異なる構成について説明がされる。昇降式足場２と同様の構成については、その説明が省略される。このデッキ８６は、第一ユニット８８、第二ユニット９０及びマストカバー１６からなる。この第一ユニット８８は、平面視において長方形形状である。この第一ユニット８８の床板は、長方形形状である。図示されないが第一ユニット８８の桁は、平面視において長方形である。第二ユニット９０の床板は、平面視において台形形状である。図示されないが、第二ユニット９０の桁は、平面視において台形形状である。この第二ユニット９０の桁は、非平行桁である。
【００２９】
この昇降用足場８４では、平面視が台形の第二ユニット９０と平面視が長方形の第一ユニット８８とを組み合わせることにより、壁面Ｗ１にほぼ沿っている。この昇降用足場８４では、この昇降用足場８４では、第二ユニット９０以外の構成は、従来の昇降用足場をそのまま転用できる。
【００３０】
図１２は、本発明の更に他の実施形態に係る昇降用足場９２が建物Ｂ２の一部と共に示された平面図である。図１２の矢印Ｙは前後方向前向きを表している。矢印Ｘは、左右方向右向きを表している。この図１２に紙面に垂直な方向が鉛直方向である。ここでは、図１の昇降式足場２と異なる構成について説明がされる。昇降式足場２と同様の構成については、その説明が省略される。この建物Ｂ２は壁面Ｗ２、Ｗ３及びＷ４を備えている。壁面Ｗ２は、前後方向に延びている。壁面Ｗ３は、壁面Ｗ２の後方端から左右方向右向きに延びている。壁面Ｗ４は、壁面Ｗ３の右端から前後方向後向きに延びている。
【００３１】
この昇降用足場９２は、４本のマスト４、デッキ９４及び図示されない１６個のモーター８（駆動部）を備えている。このデッキ９４は、第一ユニット９６、第二ユニット９８及びマストカバー９９を備えている。この第一ユニット９６は、図示されないが床板と床板を支持する桁を備えている。この桁は、昇降用足場８４の第一ユニット８８の桁と同様に、平面視において長方形である。このマストカバー９９は、長手方向の長さが異なるが、図１のマストカバー１６と同様の構造である。
【００３２】
図１３は、第二ユニット９８の桁１００が示された斜視図である。この桁１００は、平面視において正方形である。この正方形形状は、第一梁１０１Ａ、第二梁１０１Ｂ、第三梁１０１Ｃ及び第四梁１０４Ｄから形成されている。第二梁１０１Ｂは、第一梁１０１Ａに垂直に延びている。第三梁１０１Ｃは、第一梁１０１Ａに平行に延びている。第四梁１０１Ｄは、第二梁１０１Ｂに平行に延びている。
【００３３】
この第一梁１０１Ａに沿った側面（第一側面）は、三角形状である。この側面には、３つの連結雄部１０２が設けられている。連結雄部１０２は、この三角形の角に位置している。この側面は、水平面に垂直に交わる。第二梁１０１Ｂに沿った側面は、第一側面に隣接する第二側面である。この第二側面は、三角形状である。この側面には、３つの連結雌部１０４が設けられている。この側面は、水平面に垂直に交わる。連結雌部１０４は、この三角形の角に位置している。
【００３４】
第三梁１０１Ｃに沿った側面は、第一側面に対向する第三側面である。この第三側面は、三角形状である。この側面には、３つの連結雄部１０２が設けられている。連結雄部１０２は、この三角形の角に位置している。この平面は、水平面に垂直に交わる。第四梁１０１Ｄ側に沿ったの側面は、第二側面に対向する第四側面である。この第四側面は、三角形状である。この側面には、３つの連結雌部１０４が設けられている。連結雌部１０４は、この三角形の角に位置している。この側面は、水平面に垂直に交わる。
【００３５】
図１２に示されるように、壁面Ｗ２は、直線状に延びている。壁面Ｗ３は直線状に延びている。壁面Ｗ４は、直性状に伸びている。この壁面Ｗ２、Ｗ３及びＷ４に沿って、デッキ９４が延びている。壁面Ｗ２と壁面Ｗ３との角には、第一ユニット９６間に第二ユニット９８が位置している。第二ユニット９８の第一側面に連結雄部１０２を備えており、壁面Ｗ２に沿って延びる第一ユニット９６に連結されている。第一側面に隣接する第四側面に連結雌部１０４を備えており、壁面Ｗ３に沿って延びる第一ユニット９６に連結されている。この第二ユニット９８は、壁面Ｗ２と壁面Ｗ３との角で、第一ユニット９６と第一ユニット９６とを連結しうる。
【００３６】
壁面Ｗ３と壁面Ｗ４との角には、第一ユニット９６とマストカバー９９との間に第二ユニット９８が位置している。この第二ユニット９８は、第一側面に連結雄部１０２を備えており、壁面Ｗ３に沿って延びる第一ユニット９６に連結されている。第二ユニット９８は、第一側面に隣接する第二側面に連結雌部１０４を備えており、壁面Ｗ４に沿って延びるマストカバー９９に連結されている。この第二ユニット９８は、壁面Ｗ２と壁面Ｗ３との角で、第一ユニット９６とマストカバー９９とを連結しうる。ここでは、第一ユニット９６と第一ユニット９６との間の連結及び第一ユニット９６とマストカバー９９との間の連結について説明がされてが、マストカバー９９とマストカバー９９との間でも、同様に連結しうる。
【００３７】
ここでは、第二ユニット９８は、第一側面の連結雄部１０２、第二側面の連結雌部１０４及び第四側面の連結雌部１０４で連結されているが、第二側面の連結雌部１０４、第一側面の連結雄部１０２及び第三側面の連結雄部１０２でも同様に連結されうる。
【００３８】
この昇降用足場９２は、４本のマスト４に取り付けられたモーター８が同期して駆動される。デッキ９４は、一体として上下動しうる。このデッキ９４は、壁面Ｗ２、壁面Ｗ３及び壁面Ｗ４に沿って延びている。作業者は、デッキ９４の上を移動することで、壁面Ｗ２、壁面Ｗ３及び壁面Ｗ４に沿って移動することができる。
【００３９】
図１４は、図１２の第二ユニット９８の他の使用状態が示された平面図である。この図１４には、昇降用足場１０６が建物Ｂ３の一部と共に示されている。図１４の矢印Ｙは前後方向前向きを表している。矢印Ｘは、左右方向右向きを表している。ここでは、図１２の昇降用足場９２と異なる構成について説明がされる。昇降式足場９２と同様の構成については、その説明が省略される。この建物Ｂ３は壁面Ｗ５、Ｗ６及びＷ７を備えている。壁面Ｗ５は、前後方向に延びている。壁面Ｗ６は、壁面Ｗ５の後方端から左右方向左向きに延びている。壁面Ｗ７は、壁面Ｗ６の左端から前後方向後向きに延びている。
【００４０】
この昇降用足場１０６は、２本のマスト４、デッキ１０８及び図示されない８個のモーター８（駆動部）を備えている。このデッキ１０８は、第一ユニット９６、第二ユニット９８及びマストカバー９９を備えている。
【００４１】
壁面Ｗ５に沿って、マストカバー９９と第一ユニット９６とが連結されている。壁面Ｗ５と壁面Ｗ６との角には、マストカバー９９と第一ユニット９６の間に第二ユニット９８が位置している。第二ユニット９８の第二側面に連結雌部１０４を備えており、壁面Ｗ５に沿って延びるマストカバー９９に連結されている。第二側面に隣接する第三側面に連結雄部１０２を備えており、壁面Ｗ６に沿って延びる第一ユニット９６に連結されている。この第二ユニット９８は、壁面Ｗ５と壁面Ｗ６との角で、マストカバー９９と第一ユニット９６とを連結しうる。
【００４２】
壁面Ｗ６と壁面Ｗ７との角には、第一ユニット９６とマストカバー９９との間に第二ユニット９８が位置している。この第二ユニット９８は、第二側面に連結雌部１０４を備えており、壁面Ｗ６に沿って延びる第一ユニット９６に連結されている。第二ユニット９８は、第二側面に隣接する第一側面に連結雄部１０２を備えており、壁面Ｗ７に沿って延びるマストカバー９９に連結されている。
【００４３】
ここでは、第二ユニット９８は、第二側面の連結雌部１０４、第一側面の連結雄部１０２及び第三側面の連結雄部１０２で連結されているが、第一側面の連結雄部１０２、第二側面の連結雌部１０４及び第四側面の連結雌部１０４でも同様に連結されうる。この第二ユニット９８は、第一ユニット９６及びマストカバー９９との直交するいずれの向きでも、連結しうる。
【００４４】
ここで、説明した足場は、２本又は４本のマスト４を備えていたが、マスト４の数は１本でもよく、３本でもよく、５本以上でもよい。ここでは、壁面に向かって左右方向の左側面に連結雄部を備え、右側面に連結雌部を備えた桁について説明がされてが、左側面に連結雌部を備え、右側面に連結雄部を備えた桁であってもよい。
【産業上の利用可能性】
【００４５】
本発明に係る昇降式足場は、建物の新築及び解体にも用いられうる。この足場は、煙突、橋脚等にも設置されうる。
【図面の簡単な説明】
【００４６】
【図１】図１は、本発明の一実施形態に係る昇降式足場の一部が建物の一部と共に示された正面図である。
【図２】図２は、図１の足場の平面図である。
【図３】図３は、図１の足場の第一ユニットの桁が示された平面図である。
【図４】図４（ａ）は図３の矢印IVａで示された矢視図であり、図４（ｂ）は図３の矢印IVｂで示された矢視図である。
【図５】図５は、図１の足場の第二ユニットの桁が示された平面図である。
【図６】図６は、図１の足場の一部が建物の一部と共に示された拡大平面図である。
【図７】図７は、図１の第二ユニット及びマストカバーの一部が示された平面図である。
【図８】図８は、図７の矢印VIIIで示された拡大分解図である。
【図９】図９は、図１の第一ユニット、第二ユニット及びマストカバーの一部が示された平面図である。
【図１０】図１０は、図２の直線X−Xに沿った断面図である。
【図１１】図１１は本発明にかかる他の実施形態である昇降式足場が示された平面図である。
【図１２】図１２は、本発明にかかる更に他の実施形態である昇降用足場が建物の一部と共に示された平面図である。
【図１３】図１３は、図１２の足場の第二ユニットの桁が示された斜視図である。
【図１４】図１４は、図１２の第二ユニットの他の使用状態が示された平面図である。
【符号の説明】
【００４７】
２、８４、９２、１０６・・・昇降式足場
４・・・マスト
６、８６、９４、１０８・・・デッキ
８・・・モーター
１０・・・脚
１２、８８、９６・・・第一ユニット
１４、９０、９８・・・第二ユニット
１６、９９・・・マストカバー
１８、２２、４８、１００・・・桁
１９、２３、４０、１０１・・・梁
２０、２４、５４・・・床板
２６、３０、５０、１０２・・・連結雄部
２８、３２、５２、１０４・・・連結雌部
３４・・・駆動部
３６・・・センターポール
３８・・・サイドポール
４２・・・アーム
４４・・・ラック
４６・・・アンカーボルト
５６・・・ガイドローラ
５８・・・フリーローラ
６０・・・開口
６２・・・ピニオン
６４、６６、７４・・・孔
６８・・・ピン
７０・・・抜け止めピン
７２・・・座金
７６・・・枕木
７８・・・板
８０・・・幅木
８２・・・手すり
【図１】
2010138652.tif 000003
【図２】
2010138652.tif 000004
【図３】
2010138652.tif 000005
【図４】
2010138652.tif 000006
【図５】
2010138652.tif 000007
【図６】
2010138652.tif 000008
【図７】
2010138652.tif 000009
【図８】
2010138652.tif 000010
【図９】
2010138652.tif 000011
【図１０】
2010138652.tif 000012
【図１１】
2010138652.tif 000013
【図１２】
2010138652.tif 000014
【図１３】
2010138652.tif 000015
【図１４】
2010138652.tif 000016